(57)【要約】  【課題】  多くの紙容器は、商品の収納、取り出しは上から行うようになっている。そのため、軟らかい洋菓子ケーキなどの収納、取り出し時は形状を損なわないように注意が必要であり、逆に固く形状がしっかりした商品を容器にピッタリ収まるようにすると、指も入らず、やはり商品の収納、取り出しがしずらく、充分手、指が入る大きさの容器にすれば、必要以上に大きなサイズの容器となる。無駄なく容器に収まり、かつ商品の収納、取り出しが容易な容器の提供が望まれていた。  【解決手段】  四角い底板の四縁辺に前後左右に側壁が縁接し、前後側壁の両側縁にはフラップが縁接され、少なくとも片方の側壁のフラップは扇形状をし、前後側壁のフラップを左右側壁の上縁に縁接されたフラップで挟み込み、扇形状フラップを縁接する側壁が底板との折り筋を支点として開閉するようにした。  【選択図】  図２
2006001587.tif 000002
【特許請求の範囲】
【請求項１】
四角形状の底板の４縁辺に、前後及び左右の側壁を縁接し、前後側壁のそれぞれの両側縁及び左右側壁の上縁にはフラップを縁接し、前後側壁の内、少なくとも片方の側壁の両側縁に縁接する２枚のフラップは該側壁が底板と接する折り筋の両端をそれぞれの支点とする扇形状であり、該２枚の扇形状フラップ及びもう一方の側壁の２枚のフラップを、相対する左右側壁の内側に入れ、その上に該左右側壁の両上縁に縁接されたフラップを前後側壁の両側縁に縁接するフラップを挟み込むように折り込み、両側縁に扇形状フラップを有する側壁が、該側壁の下縁を支点として開閉出来るようにした事を特徴とする紙容器。
【請求項２】
左右側壁の上縁に縁接されたフラップ縁辺上に突起を設け、該フラップで前後側壁のフラップを左右側壁との間に挟み込むように折り込んだ後、該突起を底板の切れ目に差し込むようにした事を特徴とする請求項１に記載の紙容器。 
【請求項３】
扇形状フラップの直線状縁を該扇を形成する元の円の半径より長くし、その長さを側壁高さ以上にした事を特徴とする請求項１に記載の紙容器。
【発明の詳細な説明】
【技術分野】
【０００１】
本発明は、紙容器で、商品の収納、取り出し作業を簡単にするための紙容器構造に関し、特に側壁が底板と縁接する折り筋を支点に、自由に開閉出来る紙容器構造に関する。
【背景技術】
【０００２】
多くの容器がそうであるように、開閉箇所は容器の上にあり、商品の収納、取り出しは上から行うようになっている。そのため、軟らかい洋菓子ケーキなどの収納、取り出し時は形状を損なわないように注意が必要であり、逆に固く形状がしっかりした商品を容器にピッタリ収まるようにすると、指も入らず、やはり商品の収納、取り出しがしずらいという問題がある。充分手、指が入る大きさの容器にすれば解決するが、それには必要以上に大きなサイズの容器となり、また無駄な空間が発生し運搬時に商品が容器内で移動し却って問題となる。即ち商品は無駄なく容器に収まり、かつ商品の収納、取り出しが容易な容器の提供が望まれていた。
【０００３】
近年、この問題を解決すべく、紙容器の組み立て途中では前側壁を立てていない状態に、又、組み立て後、前側壁を前に倒した状態になり、商品としてのケーキ等の収納、取り出しが容易になる構造を持つ紙容器が、いくつか提案されている。
【特許文献１】実登３０４５９２１
【特許文献２】実登３０５８７７５
【特許文献３】実開昭５０−９５３２６
【発明の開示】
【発明が解決しようとする課題】
【０００４】
しかし、これらの提案でも問題の十分な解決にはなっていない。それは文献１、２、３からも分かるように、前部側壁を立てていない状態、又は倒した状態では、確かに該側壁は邪魔にならないが、該側壁に隣り合う左右側壁の該側壁側横縁部に縁接するフラップが収納及び取り出しの邪魔になり、手で押さえたり、該フラップが邪魔にならないよう予め手で折りくせをつけるなどの余計な動作がまだ必要になってくる。しかし、該フラップをなくしたり、小さくする事は収納時の外部からのホコリ、ゴミ等からの防御効果を少なくするものであり、その効果を良くするために大きくすれば、反対に収納、取り出しを簡単にする効果を減ずるという基本的な問題を抱えている。
【０００５】
更に、前側壁を立てていない状態で、又は倒した状態での容器の起立を確実にするため、左右側壁と後部側壁を何等かの方法で繋いでおかなければならず、左右側壁ないしは後側壁の側縁部に縁接するフラップを後側壁ないしは左右側壁に又はフラップどうしを接着又は差込で固定する必要がある。接着固定する方式では、容器の組み立て前はフラットに畳めるようにするため、左右側壁に斜めに折り筋を入れて畳んでおかなければならず、左右側壁に見苦しい折り筋が入り、商品価値を著しく損ねている。又、後側壁も前側壁同様に開閉出来るようにし、商品の収納、取り出し性をさらに良くしようとすれば、容器の起立性は更に悪くなる。即ち、従来の方法では容器の起立性を十分確保した状態で前後側壁を同時に開閉するなどという事は不可能であった。
【０００６】
本発明は、従来の紙容器が有していた問題点を解決し、容器の起立性を十分に確保したまま、商品の収納、取り出しをし易くする紙容器を提供しようとするものである。
【課題を解決するための手段】
【０００７】
本発明は上記目的を達成するために、四角形状の底板の４縁辺に、前後及び左右の側壁を縁接し、前後側壁のそれぞれの両側縁及び左右側壁の上縁にはフラップを縁接し、前後側壁の内、少なくとも片方の側壁の両側縁に縁接する２枚のフラップは該側壁が底板と接する折り筋の両端をそれぞれの支点とする扇形状であり、該２枚の扇形状フラップ及びもう一方の側壁の２枚のフラップを、相対する左右側壁の内側に入れ、その上に該左右側壁の両上縁に縁接されたフラップを前後側壁の両側縁に縁接するフラップを挟み込むように折り込み、両側縁に扇形状フラップを有する側壁が、該側壁の下縁を支点として開閉出来るような紙容器にした。
【０００８】
また、第２の課題解決手段は、さらに左右側壁の上縁に縁接されたフラップ上縁に突起を設け、該フラップで前後側壁のフラップを左右側壁との間に挟み込むように折り込んだ後、該突起を底板の切れ目に差し込むような紙容器にした。 
【０００９】
また、第３の課題解決手段は、さらに扇形状フラップの直線状縁を該扇形状を形成する元の円の半径より長くし、その長さを側壁高さ以上にした紙容器にした。
【発明の効果】
【００１０】
上記第１の課題解決手段による作用は次の通りである。側壁が底板と接する折り筋の両端をそれぞれの支点とする扇形状のフラップを、該側壁の左右側壁の上縁に縁接されたフラップで、左右側壁との間に挟み込むことで、左右側壁の起立性を確保しながら、該側壁を底板と接する折り筋を支点として開閉出来るようになる。更に扇形状フラップが、該側壁の開閉に伴い動いても、左右側壁上縁に縁接され容器内側に折り返されたフラップでカバーされているため、その動きは見えず、当然、容器内収納物に何らの影響も与えない。即ち、開閉のポイントである扇形状フラップは、該側壁を閉めると左右側壁とその上縁に縁接されたフラップとの間に収まってしまい、視覚的にも綺麗である。
【００１１】
上記第２の課題解決手段による作用は次の通りである。左右側壁の上縁に縁接されたフラップ上縁に突起を設け、該フラップで前後側壁のフラップを左右側壁との間に挟み込んだ後、該突起物を底板の切れ目に差し込む事により、該フラップがしっかり固定され、容器の起立性が向上する。
【００１２】
上記第３の課題解決手段による作用は次の通りである。扇形状フラップの直線状縁を該扇形状を形成する元の円の半径より長くして、その長さを側壁高さ以上にする事により、該扇形状フラップを両側縁に有する側壁を前方に倒した時、側壁高さ以上に長くした扇形状フラップの直線状縁端が、左右側壁とその上縁に縁接されたフラップとの折り返し部に引っかかり、それ以上は扇形状フラップを有する側壁が倒れないように、即ち、この事により該側壁の開き加減を調整出来るようにする事である。扇形状フラップを有する側壁が完全に倒れるまで開くと、扇形状フラップを左右側壁と該側壁上縁に縁接するフラップで挟んでいられなくなり、容器の起立性が失われたり、再度側壁を閉めようとした時、扇形状フラップが格納されないなどのトラブルが発生する。これらのトラブル防止と、側壁が完全に倒れるよりも途中で止まる状態の方が側壁の下に手、指が入り倒れた側壁を起こしやすく、見た目も良く、これらの目的を果たすためのものである。
【発明を実施するための最良の形態】
【００１３】
図１は、本発明によるケーキ容器の展開図である。図２はこれを組み立てたものであり、前側壁を半開きにした状態を示す。以下に図１、図２にの両方で実施例を示す。
【００１４】
前側壁２、後側壁４の両側縁に扇形状のフラップ７、８が縁接している。左右側壁５の上縁にはフラップ６が縁接している。フラップ７、８を折り筋L5、L6から直角に折り曲げ、折り筋L1、L2、L3から前後、左右の側壁２、４、５を立ち上げる。フラップ７、８は左右側壁５の内側に入る。この状態で、左右側壁のフラップ６を折り筋L4からフラップ７、８を押さえるように折り込み、フラップ６の先端にある突起12を切れ目３に差し込む。基本的な容器の組み立ては以上である。
【００１５】
扇形状フラップ７、８の直線上縁端には突起10、11が設けてあり、前後側壁２、４を前に倒した時、該突起が該扇形状フラップが左右側壁５及びこの上縁に縁接するフラップ６からなる折り返しで引っかかるようになっている。    
【００１６】
左右側壁５の上縁に縁接されるフラップ６には、切れ込みＫ１を設け、該フラップを内側に折り込んだ時、左右側壁上縁にフラップ９が出現し、ホコリなどの侵入防止フラップになる。勿論、本実施例はケーキ容器を想定しているためで、絶対必要要件ではない。同時に、後側壁上演にもフラップ１３があるが、これも同理由で絶対必要要件ではない。
【００１７】
前側壁２の上縁には蓋１とフラップ１４、そして差込突起１５がついている。蓋を閉め、突起１５を後側壁４の切れ込みＫ３に差し込む。
【００１８】
図３、図４は後側壁４に縁接するフラップ８が扇形状ではなく四角形状をしており、組み立ては最初の実施例図１、図２の容器と全く同じであるが、組み立て後は後側壁４は倒れない。前後両側壁が開くより、片方の側壁は開かないように固定したいという使い勝手ではこのような使い方が出来るのも本発明の優れた点である。蓋締め後の姿は先に述べた実施例と同じになる。
【図面の簡単な説明】
【００１９】
【図１】前後両開き方式展開図
【図２】前後両開き方式組み立て図
【図３】片開き方式展開図
【図４】片開き方式組み立て図
【符号の説明】
【００２０】
１  蓋
２  前側壁
３  底板
４  後側壁
５  左右側壁
６  左右側壁フラップ（斜線で示す）
７  前側壁フラップ（斜線で示す）
８  後側壁フラップ（斜線で示す）
９、13  ホコリ侵入防止フラップ
10、11、15  突起
Ｌ１〜Ｌ６  折り筋
Ｋ１〜Ｋ３  切れ目
【図１】
2006001587.tif 000003
【図２】
2006001587.tif 000004
【図３】
2006001587.tif 000005
【図４】
2006001587.tif 000006